(57)【要約】【課題】本発明は操作が簡単且つ直観的なオン・スクリーン・ディスプレイ制御システム及びその操作方法を提供することを目的とする。【解決手段】本発明のＯＳＤ制御システムは、主メニュー及びサブ・メニューで構成されるＯＳＤ表示メニューと、複数のＯＳＤボタンと、を備える。主メニューは、ただ１つのディスプレイ・キャラクタに対応して調整を実行する複数のショート・カット・アイコンと、複数のディスプレイ・キャラクタを調節するデータを備えるメニュー・アイコンと、を備える。サブ・メニューは、ショート・カット・アイコン及びメニュー・アイコンの下位メニューであって、ディスプレイ・キャラクタの調節に必要な複数の機能選択アイコンを備える。１つのメニュー表示状態において、表示された各アイコンは、別々に１つのＯＳＤボタンに対応する。【選択図】図３
2008262544.tif 000002
【特許請求の範囲】
【請求項１】
表示装置のディスプレイ・キャラクタを調節することに用いられるオン・スクリーン・ディスプレイ制御システムであって、
前記表示装置の外部フレームに設けられる複数のＯＳＤボタンと、各々のディスプレイ・キャラクタを表示することに用いられる１つのＯＳＤ表示メニューと、を備え、
前記ＯＳＤ表示メニューは、１つのＯＳＤ主メニューと、複数のＯＳＤサブ・メニューと、を備え、
前記ＯＳＤ主メニューに、複数のショート・カット・アイコンと、１つのメニュー・アイコンと、を表示し、
前記１つのショート・カット・アイコンは、ただ１つのディスプレイ・キャラクタに対応して、調節を進行し、
前記メニュー・アイコンは、複数のディスプレイ・キャラクタを調節するデータを備え、
前記複数のＯＳＤサブ・メニューは、各々のショート・カット・アイコン及びメニュー・アイコンの下位のメニューであって、前記表示装置のあるディスプレイ・キャラクタを調節することに必要である複数の機能選択アイコンを備え、
前記表示装置がＯＳＤ主メニューを表示する時、前記メニュー・アイコンと各々のショート・カット・アイコンとが別々に１つのＯＳＤボタンに対応し、
前記表示装置があるＯＳＤサブ・メニューを表示する時、其の機能選択アイコンが別々に１つのＯＳＤボタンに対応することを特徴とするオン・スクリーン・ディスプレイ制御システム。
【請求項２】
前記ＯＳＤ主メニューの複数のショート・カット・アイコンは、１つの自動調節アイコンと、１つの色彩増量アイコンと、１つのオーディオ・アイコンと、を備えることを特徴とする請求項１に記載のオン・スクリーン・ディスプレイ制御システム。
【請求項３】
各々のＯＳＤサブ・メニューは、前記機能選択アイコンを表示することに用いられる機能選択部を備えることを特徴とする請求項１に記載のオン・スクリーン・ディスプレイ制御システム。
【請求項４】
前記機能選択アイコンは、１つの確認アイコンと、１つの退出アイコンと、少なくとも１つの方向アイコンと、１つの増量アイコンと、１つの減量アイコンと、から組み合わされて構成されることを特徴とする請求項３に記載のオン・スクリーン・ディスプレイ制御システム。
【請求項５】
前記ＯＳＤボタンの数量は、前記複数のショート・カット・アイコンの数量と前記メニュー・アイコンの数量との和より大きく、且つ前記機能選択アイコンの数量よりも大きいことを特徴とする請求項１に記載のオン・スクリーン・ディスプレイ制御システム。
【請求項６】
請求項１に記載のオン・スクリーン・ディスプレイ制御システムの操作方法であって、
何れか１つのＯＳＤボタンを押し、前記ＯＳＤ主メニューを呼び出すステップと、
前記ＯＳＤ主メニューのあるショート・カット・アイコンまたはメニュー・アイコンに対応したＯＳＤボタンを利用して、相応のＯＳＤサブ・メニューを呼び出すステップと、
前記ＯＳＤサブ・メニューの機能選択アイコンに対応したＯＳＤボタンを利用して、前記ＯＳＤサブ・メニューが表すディスプレイ・キャラクタを設定したり調節したりするステップと、
を備えることを特徴とするオン・スクリーン・ディスプレイ制御システムの操作方法。
【請求項７】
表示装置に前記ＯＳＤ主メニューが表示されてから、
所定時間内に、あるショート・カット・アイコンに対応したＯＳＤボタンが押されると、前記表示装置が前記ショート・カット・アイコンの下位のＯＳＤサブ・メニューを表示し、
所定時間内に、メニュー・アイコンに対応したＯＳＤボタンが押されると、前記表示装置が前記メニュー・アイコンの下位のＯＳＤサブ・メニューを表示することを特徴とする請求項６に記載の操作方法。
【請求項８】
表示装置のディスプレイ・キャラクタを調節することに用いられるオン・スクリーン・ディスプレイ制御システムであって、
前記表示装置の外部フレームに設けられる複数のＯＳＤボタンと、各々のディスプレイ・キャラクタを表示することに用いられる１つのＯＳＤ表示メニューと、を備え、
前記ＯＳＤ表示メニューは、各々のディスプレイ・キャラクタを設定するか調節することに用いられる複数のアイコンを備え、且つ各々のアイコンは皆１つのＯＳＤボタンに対応することを特徴とするオン・スクリーン・ディスプレイ制御システム。
【発明の詳細な説明】
【技術分野】
【０００１】
本発明は、オン・スクリーン・ディスプレイ（Ｏｎ  Ｓｃｒｅｅｎ  Ｄｉｓｐｌａｙ，ＯＳＤ）制御システム及びその操作方法に関するものである。
【背景技術】
【０００２】
ユーザは、オン・スクリーン・ディスプレイ制御システムを介して表示装置のそれぞれのディスプレイ・キャラクタを調節して、自分の好みに合う表示効果を獲得する。通常、ユーザが調節できるディスプレイ・キャラクタは、輝度（Ｂｒｉｇｈｔｎｅｓｓ）と、色温度（Ｃｏｌｏｒ  Ｔｅｍｐｅｒａｔｕｒｅ）と、コントラスト（Ｃｏｎｔｒａｓｔ）と、位相（Ｐｈａｓｅ）と、を備える。
【０００３】
従来の表示装置は、通常、外部フレームに複数のＯＳＤボタンを設け、前記ＯＳＤボタンは、主メニューボタンと、増量ボタンと、減量ボタンと、を備える。ユーザが表示装置のそれぞれのディスプレイ・キャラクタを調節する時、「Ｍｅｎｕ」の符号を印刷してある主メニューボタンでＯＳＤ表示メニューを呼び出してから、「＋」または「−」の符号を印刷してある増量ボタン及び減量ボタンを介してカーソルの移動方向を制御して、調節しようとするディスプレイ・キャラクタを表すアイコンを選択して、パラメーター値を調節し、それによって、表示効果を変更する目的を果たす。しかし、前記ＯＳＤボタンと前記ＯＳＤ表示メニューが表示したアイコンとの間に直接的な対応関係がなく、ユーザが操作する時、増量ボタンまたは減量ボタンを何度も押してカーソルの移動を制御しなければならず、即ち、表示装置のオン・スクリーン・ディスプレイ制御システム及びその操作方法が複雑且つ直観的ではない。
【発明の開示】
【発明が解決しようとする課題】
【０００４】
本発明の第一目的は、前記課題を解決し、操作が簡単且つ直観的なオン・スクリーン・ディスプレイ制御システムを提供することである。
【０００５】
本発明の第二目的は、前記課題を解決し、操作が簡単且つ直観的なオン・スクリーン・ディスプレイ制御システムの操作方法を提供することである。
【課題を解決するための手段】
【０００６】
前記目的を達成するため、本発明は、表示装置のディスプレイ・キャラクタを調節することに用いられるオン・スクリーン・ディスプレイ制御システムであって、前記表示装置の外部フレームに設けられる複数のＯＳＤボタンと、各々のディスプレイ・キャラクタを表示することに用いられる１つのＯＳＤ表示メニューと、を備え、前記ＯＳＤ表示メニューは、１つのＯＳＤ主メニューと、複数のＯＳＤサブ・メニューと、を備え、前記ＯＳＤ主メニューに、複数のショート・カット・アイコンと、１つのメニュー・アイコンと、を表示し、前記１つのショート・カット・アイコンは、ただ１つのディスプレイ・キャラクタに対応して、調節を進行し、前記メニュー・アイコンは、複数のディスプレイ・キャラクタを調節するデータを備え、前記複数のＯＳＤサブ・メニューは、各々のショート・カット・アイコン及びメニュー・アイコンの下位のメニューであって、前記表示装置のあるディスプレイ・キャラクタを調節することに必要である複数の機能選択アイコンを備え、前記表示装置がＯＳＤ主メニューを表示する時、前記メニュー・アイコンと各々のショート・カット・アイコンとが別々に１つのＯＳＤボタンに対応し、前記表示装置があるＯＳＤサブ・メニューを表示する時、其の機能選択アイコンが別々に１つのＯＳＤボタンに対応することを特徴とするオン・スクリーン・ディスプレイ制御システムを提供する。
【０００７】
前記目的を達成するため、本発明のオン・スクリーン・ディスプレイ制御システムの操作方法であって、何れか１つのＯＳＤボタンを押し、前記ＯＳＤ主メニューを呼び出すステップと、前記ＯＳＤ主メニューのあるショート・カット・アイコンまたはメニュー・アイコンに対応したＯＳＤボタンを利用して、相応のＯＳＤサブ・メニューを呼び出すステップと、前記ＯＳＤサブ・メニューの機能選択アイコンに対応したＯＳＤボタンを利用して、前記ＯＳＤサブ・メニューが表すディスプレイ・キャラクタを設定したり調節したりするステップと、を備えることを特徴とするオン・スクリーン・ディスプレイ制御システムの操作方法を提供する。
【０００８】
前記目的を達成するため、本発明は、表示装置のディスプレイ・キャラクタを調節することに用いられるオン・スクリーン・ディスプレイ制御システムであって、前記表示装置の外部フレームに設けられる複数のＯＳＤボタンと、各々のディスプレイ・キャラクタを表示することに用いられる１つのＯＳＤ表示メニューと、を備え、前記ＯＳＤ表示メニューは、各々のディスプレイ・キャラクタを設定するか調節することに用いられる複数のアイコンを備え、且つ各々のアイコンは皆１つのＯＳＤボタンに対応することを特徴とするオン・スクリーン・ディスプレイ制御システムを提供する。
【発明の効果】
【０００９】
本発明に係わるオン・スクリーン・ディスプレイ制御システム及びその操作方法は、直接に複数のＯＳＤサブ・メニューの機能選択アイコン及びＯＳＤ主メニューの各々のアイコンに対応したＯＳＤボタンを利用して、ＯＳＤ表示メニューが設定する各々のディスプレイ・キャラクタを調節し、それによって、何れか１つのＯＳＤ表示メニューを表示する時、対応配置したＯＳＤボタンが皆特定の機能を有することを保証し、ユーザがさらに直観的に操作を行うようにして、操作方法も簡単となる。前記オン・スクリーン・ディスプレイ制御システムが３つのショート・カット・アイコンを設定するので、ユーザがただショート・カット・アイコンに対応するＯＳＤボタンを押すと、ショート・カット・アイコンに設定した機能パラメーター値に対して設定及び調節を行うことができ、操作方法が簡単になる。なお、ＯＳＤ表示メニューが表示するアイコンは、皆複数のＯＳＤボタンと対応関係があるので、ＯＳＤボタンに符号を印刷する必要がなく、表示装置の製造過程を簡略化し、且つ製造コストを削減する。
【発明を実施するための最良の形態】
【００１０】
図１は、本発明の実施形態に係るオン・スクリーン・ディスプレイ制御システムの構造を示すブロック図である。前記オン・スクリーン・ディスプレイ制御システム２０は、映像表示部２１と、複数のＯＳＤボタン２２と、ボタン回路基板２３と、プリント回路基板（Ｐｒｉｎｔｅｄ  Ｃｉｒｃｕｉｔ  Ｂｏａｒｄ，ＰＣＢ）２４と、を備える。前記複数のＯＳＤボタン２２は、表示装置の外部フレームに設けられ、且ついかなる符号も印刷されていない。前記映像表示部２１は、表示装置の表示効果を調節するために必要であるＯＳＤ表示メニュー２５及び他の映像図画を表示することに用いられる。前記ボタン回路基板２３は、前記複数のＯＳＤボタン２２の動作を検知して、且つ対応する信号を前記プリント回路基板２４に送信する。前記プリント回路基板２４は、前記ボタン回路基板２３から出力される信号に基づいて、内部のメモリー（図示せず）から相応のＯＳＤデータを呼び出し、且つ前記ＯＳＤデータを処理して、前記映像表示部２１に対応するＯＳＤ表示メニュー２５を表示させる。
【００１１】
図２は、図１に示すＯＳＤ表示メニューの構造を示すブロック図である。前記ＯＳＤ表示メニュー２５を展開するとツリー構造になっており、１つのＯＳＤ主メニュー２１１及び複数のＯＳＤサブ・メニュー２１３（図には１つだけを示す）を備える。前記ＯＳＤ主メニュー２１１は、自動調整（Ａｕｔｏ−Ａｄｊｕｓｔｍｅｎｔ）アイコン２１１２と、色彩増量（Ｃｏｌｏｒ  Ｅｎｈａｎｃｅｍｅｎｔ）アイコン２１１３と、メニュー（Ｍｅｎｕ）アイコン２１１４と、オーディオ（Ａｕｄｉｏ）アイコン２１１５と、を順番に表示する。前記自動調整アイコン２１１２、色彩増量アイコン２１１３、及びオーディオ・アイコン２１１５は、皆ショート・カット・アイコンであって、ショート・カット・アイコンのそれぞれは、表示装置のある１つのディスプレイ・キャラクタのみに対して設定及び調節を行うことができる。前記自動調整アイコン２１１２、色彩増量アイコン２１１３、及びオーディオ・アイコン２１１５の下位には、一階層のＯＳＤサブ・メニューのみを含むが、前記メニュー・アイコン２１１４は、複数のディスプレイ・キャラクタに対して設定及び調節を行うことができる複数のＯＳＤサブ・メニュー２１３含み、且つある１つのディスプレイ・キャラクタを表した１つのＯＳＤサブ・メニュー２１３を選択する時、この１つのＯＳＤサブ・メニュー２１３の下位に、少なくとも一階層のＯＳＤサブ・メニューを含む。
【００１２】
ＯＳＤサブ・メニュー２１３のそれぞれは、皆１つの機能選択部２１４と、１つの機能表示部２１５と、を備える。前記機能選択部２１４は、１つの確認アイコン２１４１と、１つの退出アイコン２１４２と、少なくとも１つの方向アイコン２１４３と、１つの増量アイコン２１４４と、１つの減量アイコン２１４５と、から組み合わせて構成したメニューウィンドウを表示する。前記確認アイコン２１４１は、目前の表示メニューを選択し、且つ目前の表示メニューに入ることに用いられ、文字符号「ＯＫ」で表示される。前記退出アイコン２１４２は、目前の表示メニューから退出することに用いられ、符号「←」で表示される。前記方向アイコン２１４３は、目前の表示メニューと同階層である他のＯＳＤサブ・メニューに入るかまたは目前の表示メニューの下位一階層のＯＳＤサブ・メニューに入ることに用いられ、符号「＞」または符号「＜」で表示される。前記増量アイコン２１４４及び前記減量アイコン２１４５は、各々のディスプレイ・キャラクタの目前のパラメーター値を調節することに用いられ、別々に符号「＋」と符号「−」とで表示される。前記機能表示部２１５は、各々のＯＳＤサブ・メニュー２１３のディスプレイ・キャラクタ及び前記ディスプレイ・キャラクタに対応するパラメーター値を表示することに用いられる。
【００１３】
図３は、図２に示すＯＳＤ主メニューが表示装置に表示された表示効果図である。前記オン・スクリーン・ディスプレイ制御システム２０は、表示装置５を制御して、前記表示装置５に前記ＯＳＤ主メニュー２１１を表示する。前記ＯＳＤ主メニュー２１１は、帯状インタフェースであって、前記表示装置５の映像表示部２１のスタンド５１と隣接する片側に表示されて、且つ水平方向に沿って自動調整アイコン２１１２と、色彩増量アイコン２１１３と、メニュー・アイコン２１１４と、オーディオ・アイコン２１１５と、を順番に表示する。別々に前記４つのアイコンに対応する４つのＯＳＤボタン２２は、表示装置５の外フレーム５３に順番に水平方向に沿って設けられる。操作する時、ユーザが４つのＯＳＤボタン２２中の何れか１つのＯＳＤボタン２２を押すと、前記ＯＳＤ主メニュー２１１を呼び出すことができる。
【００１４】
図４は、表示装置に図２に示す自動調整アイコンの下位のＯＳＤサブ・メニューを表示した表示効果図である。ユーザが前記自動調整アイコン２１１２に対応するＯＳＤボタン２２を押すと、前記映像表示部２１に表示される前記ＯＳＤ表示メニュー２５は、前記ＯＳＤ主メニュー２１１から前記自動調整アイコン２１１２の下位のＯＳＤサブ・メニュー２１３に変わる。前記ＯＳＤサブ・メニュー２１３は、ただ１つの機能表示部２１５を含み、前記機能表示部２１５は、自動調整機能を表した「ＡＵＴＯ  ＡＤＪＵＳＴＭＥＮＴ」のような文字符号及びそのアイコンを表示する。
【００１５】
図５は、表示装置に図２に示す色彩増量アイコンの下位のＯＳＤサブ・メニューを表示した表示効果図である。前記色彩増量アイコン２１１３は、通常モードと、テキストモードと、図形モードと、ゲームモードと、ムービーモードと、を別々に表す下位一階層の複数のＯＳＤサブ・メニュー２１３を含む。ユーザが前記色彩増量アイコン２１１３に対応したＯＳＤボタン２２を押す時、前記映像表示部２１に表示される前記ＯＳＤ表示メニュー２５は、前記ＯＳＤ主メニュー２１１から前記色彩増量アイコン２１１３の下位の目前のモードを表すＯＳＤサブ・メニュー２１３に変わる。もし目前のモードが通常モードであるならば、前記ＯＳＤサブ・メニュー２１３の機能選択部２１４は、１つの退出アイコン２１４２と、１つの確認アイコン２１４１と、１つの方向アイコン２１４３と、を順番に表示し、前記３つのアイコンは、四つのＯＳＤボタン２２中の３つのＯＳＤボタン２２に別々に対応する。前記機能表示部２１５は、通常モードを表した「ＧＥＮＥＲＡＬ」のような文字符号及びそのアイコンを表示する。
【００１６】
図６は、表示装置に図２に示すオーディオ・アイコンの下位のＯＳＤサブ・メニューを表示した表示効果図である。前記オーディオ・アイコン２１１５の下位には、ただ１つのＯＳＤサブ・メニュー２１３を含む。ユーザが前記オーディオ・アイコン２１１５に対応したＯＳＤボタン２２を押す時、前記映像表示部２１に表示される前記ＯＳＤ表示メニュー２５は、前記ＯＳＤ主メニュー２１１から前記ＯＳＤサブ・メニュー２１３に変わる。前記ＯＳＤサブ・メニュー２１３は、機能選択部２１４及び機能表示部２１５を備える。前記機能選択部２１４は、１つの増量アイコン２１４４及び１つの減量アイコン２１４５を順番に表示し、前記２つのアイコンは、四つのＯＳＤボタン２２中の２つのＯＳＤボタン２２に別々に対応する。前記機能表示部２１５は、オーディオ調整機能を表した「ＡＵＤＩＯ」のような文字符号及びそのアイコンを表示し、且つオーディオ・パラメーターのパラメーター値を表示する。
【００１７】
図７は、表示装置に図２に示すメニュー・アイコンの下位の表示輝度を調節することに用いられるＯＳＤサブ・メニューを表示する表示効果図である。前記メニュー・アイコン２１１４の下位に、少なくとも二階層のＯＳＤサブ・メニュー２１３１，２１３２を含む。第一階層ＯＳＤサブ・メニュー２１３１は、表示輝度、コントラスト、画像（Ｉｍａｇｅ）、言語（Ｌａｎｇｕａｇｅ）、システム（Ｓｙｓｔｅｍ）、及び回復（Ｒｅｃａｌｌ）機能を順番に設定することができる。
【００１８】
ユーザが前記メニュー・アイコン２１１４に対応したＯＳＤボタン２２を押す時、前記映像表示部２１に表示される前記ＯＳＤ表示メニュー２５は、前記ＯＳＤ主メニュー２１１から表示輝度を設定する第一階層ＯＳＤサブ・メニュー２１３１に変わる。前記第一階層ＯＳＤサブ・メニュー２１３１も、第一機能選択部２１３４及び第一機能表示部２１３５を備え、前記第一機能選択部２１３４は、１つの退出アイコン２１４２と、１つの確認アイコン２１４１と、１つの方向アイコン２１４３と、を順番に表示し、即ち符号「←」と、文字「ＯＫ」と、符号「＞」と、を順番に表示し、前記３つのアイコンは、四つのＯＳＤボタン２２中の３つのＯＳＤボタン２２に別々に対応する。前記第一機能表示部２１３５は、表示輝度を表した文字符号「ＢＲＩＧＨＴＮＥＳＳ」及びアイコン
【数１】
2008262544.tif 000003
を表示する。ユーザが確認アイコン２１４１に対応したＯＳＤボタン２２もう一度押すと、前記映像表示部２１に第二階層ＯＳＤサブ・メニュー２１３２が表示され、前記第二階層ＯＳＤサブ・メニュー２１３２は、第二機能選択部２１３６及び第二機能表示部２１３７を備える。前記第二機能選択部２１３６は、１つの増量アイコン２１４４と、１つの確認アイコン２１４１と、１つの減量アイコン２１４５と、を順番に表示し、即ち符号「＋」と、文字符号「ＯＫ」と、符号「−」と、を順番に表示し、前記３つのアイコンは、四つのＯＳＤボタン２２中の３つのＯＳＤボタン２２に別々に対応する。前記第二機能表示部２１３７は、表示輝度を表した文字符号「ＢＲＩＧＨＴＮＥＳＳ」及びアイコン
【数２】
2008262544.tif 000004
を表示し、且つ表示輝度のパラメーター値５０を同時に表示する。
【００１９】
図８は、図２に示すオン・スクリーン・ディスプレイ制御システムのショート・カット・アイコンで操作を進行するステップを示すフローチャートである。この操作方法は以下のステップを備える。
【００２０】
ステップ２１で、コンパイルツールを介して前記ＯＳＤ表示メニュー２５が必要であるデータを形成して、プリント回路基板２４のメモリーに蓄える。
【００２１】
ステップ２２で、前記ＯＳＤ主メニュー２１１を呼び出す。四つのＯＳＤボタン２２中の何れか１つのＯＳＤボタン２２を押し、前記ボタン回路基板２３が、この動作を検知して、対応する信号を前記プリント回路基板２４に送信する。前記プリント回路基板２４は、前記ボタン回路基板２３が出力した信号に基づいて、内部のメモリーから相応のＯＳＤデータを呼び出して、前記映像表示部２１に図３に示すＯＳＤ主メニュー２１１を表示させる。前記ＯＳＤ主メニュー２１１において、メニュー・アイコン２１１４以外の他のアイコンは、皆ショート・カット・アイコンである。
【００２２】
ステップ２３で、所定時間内に、ある１つのショート・カット・アイコンに対応したＯＳＤボタン２２を押し、前記ショート・カット・アイコンの下位のＯＳＤサブ・メニュー２１３を呼び出す。プログラムを利用して、映像表示部２１にＯＳＤ主メニュー２１１を表示してから計側する所定時間（例えば三秒間）を設定し、該所定時間内に、ボタン回路基板２３は、ＯＳＤ主メニュー２１１が表示する各々のアイコンに対応したＯＳＤボタン２２に動作があるかどうかを自動的に監視する。前記所定時間内に、前記ＯＳＤボタン２２にずっと動作がない場合、前記表示装置５は、前記ＯＳＤ主メニュー２１１を表示する画面から自動退出する。逆に、前記所定時間内に、ある１つのショート・カット・アイコンに対応したＯＳＤボタン２２に動作がある場合、前記映像表示部２１に表示される前記ＯＳＤ表示メニュー２５は、前記ＯＳＤ主メニュー２１１から前記ショート・カット・アイコン下位のＯＳＤサブ・メニュー２１３に変わる。
【００２３】
ステップ２４で、ショート・カット・アイコンの種類に基づいて、前記ＯＳＤサブ・メニュー２１３の機能選択部２１４に設定した機能を利用して、表示効果を調節する。
【００２４】
異なるショート・カット・アイコンの下位に含まれるＯＳＤサブ・メニュー２１３の機能も異なるので、各々のショート・カット・アイコンの機能に対応する動作も異なる。具体に以下の動作を含む。
【００２５】
ａ．ユーザが前記自動調整アイコン２１１２に対応したＯＳＤボタン２２を押すと、前記ボタン回路基板２３は、この動作を検知して、対応する信号を前記プリント回路基板２４に送信する。前記プリント回路基板２４は、前記ボタン回路基板２３が出力した信号に基づいて、内部のメモリーから相応のＯＳＤデータを呼び出して、前記映像表示部２１に図４に示すＯＳＤサブ・メニュー２１３を表示する。このとき、前記映像表示部２１は、目前の表示効果を自動的に暗黙のうちに調整し、プログラムから設定する他の所定時間後、前記映像表示部２１が前記ＯＳＤサブ・メニュー２１３から自動に退出する。
【００２６】
ｂ．ユーザが前記色彩増量アイコン２１１３に対応したＯＳＤボタン２２を押すと、前記映像表示部２１に図５に示す通常モードを表すＯＳＤサブ・メニュー２１３を表示する。以下、ゲームモードを選択することを例にして、具体的な操作動作を説明する。ユーザが機能選択部２１４の方向アイコン２１４３に対応したＯＳＤボタン２２を押すと、通常モードを表すＯＳＤサブ・メニュー２１３が別々にテキストモード、図形モード、及びゲームモードを表すＯＳＤサブ・メニュー２１３に順番に切り替わるようにする。ゲームモードを表すＯＳＤサブ・メニュー２１３を表示する時、ユーザが確認アイコン２１４１に対応したＯＳＤボタン２２を押すと、目前の表示装置がゲームモードになる。
【００２７】
ｃ．ユーザが前記オーディオ・アイコン２１１５に対応したＯＳＤボタン２２を押すと、前記映像表示部２１に図６に示すＯＳＤサブ・メニュー２１３を表示する。ユーザが機能選択部２１４の増量アイコン２１４４または減量アイコン２１４５に対応したＯＳＤボタン２２を押して、表示装置の音量を調節する。
【００２８】
図９は、図１に示すオン・スクリーン・ディスプレイ制御システムを利用して表示輝度を調節するステップを示すフローチャートである。以下、表示輝度を調節することを例にして、それのメニュー・アイコン２１１４の操作方法を説明する。具体的に以下のステップを備える。
【００２９】
ステップ３１で、前記ＯＳＤ主メニュー２１１を呼び出す。
【００３０】
ステップ３２で、所定時間内に、メニュー・アイコン２１１４に対応したＯＳＤボタン２２を押し、前記メニュー・アイコン２１１４の下位の第一階層ＯＳＤサブ・メニュー２１３１を呼び出す。図７に示すように、ユーザが所定時間内に前記ＯＳＤ主メニュー２１１のメニュー・アイコン２１１４に対応したＯＳＤボタン２２を押すと、前記ボタン回路基板２３は、この動作を検知して、対応する信号を前記プリント回路基板２４に送信する。前記プリント回路基板２４は、前記ボタン回路基板２３が出力した信号に基づいて、内部のメモリーから相応のＯＳＤデータを呼び出し、それによって、映像表示部２１が前記ＯＳＤ主メニュー２１１を表示した画面から前記第一階層ＯＳＤサブ・メニュー２１３１を表示する画面に切り替わる。前記第一階層ＯＳＤサブ・メニュー２１３１の第一機能表示部２１３５は、文字符号「ＢＲＩＧＨＴＮＥＳＳ」及びアイコン
【数３】
2008262544.tif 000005
を表示する。ユーザは、第一機能選択部２１３４の方向アイコン２１４３に対応したＯＳＤボタン２２を押して、表示輝度を表す第一階層ＯＳＤサブ・メニュー２１３１を別々にコントラスト、画像、言語、システム、及び回復等の機能を表す第一階層ＯＳＤサブ・メニュー２１３１に順番に切り替えることができる。
【００３１】
ステップ３３で、表示輝度を表す第一階層ＯＳＤサブ・メニュー２１３１を選択して、相応の第二階層ＯＳＤサブ・メニュー２１３２に入る。映像表示部２１に表示輝度を表す第一階層ＯＳＤサブ・メニュー２１３１が表示される時、ユーザが確認アイコン２１４１に対応したＯＳＤボタン２２を押すと、前記ボタン回路基板２３は、この動作を検知して、対応する信号を前記プリント回路基板２４に送信する。前記プリント回路基板２４は、前記ＯＳＤデータの設定プログラムに基づいて、表示輝度を調節する第二階層ＯＳＤサブ・メニュー２１３２を呼び出す。
【００３２】
ステップ３４で、前記第二階層ＯＳＤサブ・メニュー２１３２の第二機能選択部２１３６に対応したＯＳＤボタン２２を利用して、目前表示輝度のパラメーター値を調節する。映像表示部２１に前記第二階層ＯＳＤサブ・メニュー２１３２が表示されてから、前記前記第二階層ＯＳＤサブ・メニュー２１３２の第二機能表示部２１３７に文字符号「ＢＲＩＧＨＴＮＥＳＳ」と、アイコン
【数４】
2008262544.tif 000006
と、目前表示輝度のパラメーター値と、が同時に表示される。ユーザは、前記第二機能選択部２１３６に表示する増量アイコン２１４４または減量アイコン２１４５に対応したＯＳＤボタン２２によって輝度パラメーター値を調節することにより、目前表示輝度を調節する。
【００３３】
ステップ３５で、前記ＯＳＤ表示メニュー２５から退出する。ユーザが、第二機能選択部２１３６が表示する確認アイコン２１４１に対応したＯＳＤボタン２２を押すと、前記ボタン回路基板２３は、前記動作を検知するとともに対応する信号を前記プリント回路基板２４に出力して、前記映像表示部２１が前記ＯＳＤ表示メニュー２５を表示する画面から退出するように制御する。
【００３４】
前記オン・スクリーン・ディスプレイ制御システム２０及びその操作方法を応用する時、直接に複数のＯＳＤサブ・メニュー２１３の機能選択部２１４及びＯＳＤ主メニュー２１１の各々のアイコンに対応したＯＳＤボタン２２を利用して、ＯＳＤ表示メニュー２５が設定する各々のディスプレイ・キャラクタを調節し、それによって、何れか１つのＯＳＤ表示メニュー２５を表示する時、対応配置したＯＳＤボタン２２が皆特定の機能を有することを保証し、ユーザがさらに直観的に操作を行うようにして、操作方法も簡単となる。前記オン・スクリーン・ディスプレイ制御システム２０が３つのショート・カット・アイコンを設定するので、ユーザがただショート・カット・アイコンに対応したＯＳＤボタン２２を押すと、ショート・カット・アイコンに設定した機能パラメーター値に対して設定及び調節を進行することができ、操作方法が簡単になる。なお、ＯＳＤ表示メニュー２５が表示するアイコンは、皆複数のＯＳＤボタン２２に対応関係があるので、ＯＳＤボタン２２に符号を印刷する必要がなく、表示装置の製造過程を簡略化し、且つ製造コストを削減する。
【００３５】
前記オン・スクリーン・ディスプレイ制御システム２０のＯＳＤ主メニュー２１１は、ショート・カット・アイコンを追加設定することができ、同時に、前記ショート・カット・アイコンに対応して、表示装置５の外部フレーム５３にＯＳＤボタン２２を追加設定する。前記ＯＳＤボタン２２を設計する時、前記ＯＳＤボタン２２の数量は、ショート・カット・アイコンとメニュー・アイコン２１１４との数量の和より大きく、且つＯＳＤサブ・メニュー２１３の機能選択部２１４のアイコンの数量より大きい、という条件を満足する。
【図面の簡単な説明】
【００３６】
【図１】本発明の実施形態に係るオン・スクリーン・ディスプレイ制御システムの構造を示すブロック図である。
【図２】図１に示すＯＳＤ表示メニューの構造を示すブロック図である。
【図３】図２に示すＯＳＤ主メニューが表示装置に表示された表示効果図である。
【図４】表示装置に図２に示す自動調整アイコンのＯＳＤサブ・メニューを表示した表示効果図である。
【図５】表示装置に図２に示す色彩増量アイコンのＯＳＤサブ・メニューを表示した表示効果図である。
【図６】表示装置に図２に示すオーディオ・アイコンのＯＳＤサブ・メニューを表示した表示効果図である。
【図７】表示装置に図２に示すメニュー・アイコンの表示輝度を調節することに用いられたＯＳＤサブ・メニューを表示した表示効果図である。
【図８】図１に示すオン・スクリーン・ディスプレイ制御システムのショート・カット・アイコンで操作を進行する操作方法を示すフローチャートである。
【図９】図１に示すオン・スクリーン・ディスプレイ制御システムを利用して表示輝度を調節する操作方法を示すフローチャートである。
【符号の説明】
【００３７】
５  表示装置
２０  オン・スクリーン・ディスプレイ制御システム
２１  映像表示部
２２  ＯＳＤボタン
２３  ボタン回路基板
２４  プリント回路基板
２５  ＯＳＤ表示メニュー
５１  スタンド
５３  外フレーム
２１１  ＯＳＤ主メニュー
２１３  ＯＳＤサブ・メニュー
２１４  機能選択部
２１５  機能表示部
２１１２  自動調整アイコン
２１１３  色彩増量アイコン
２１１４  メニュー・アイコン
２１１５  オーディオ・アイコン
２１３１  第一階層ＯＳＤサブ・メニュー
２１３２  第二階層ＯＳＤサブ・メニュー
２１３４  第一機能選択部
２１３５  第一機能表示部
２１３６  第二機能選択部
２１３７  第二機能表示部
２１４１  確認アイコン
２１４２  退出アイコン
２１４３  方向アイコン
２１４４  増量アイコン
２１４５  減量アイコン
【図１】
2008262544.tif 000007
【図２】
2008262544.tif 000008
【図３】
2008262544.tif 000009
【図４】
2008262544.tif 000010
【図５】
2008262544.tif 000011
【図６】
2008262544.tif 000012
【図７】
2008262544.tif 000013
【図８】
2008262544.tif 000014
【図９】
2008262544.tif 000015